(57)【要約】【課題】下方からの吹きさらしによる雨水の侵入が低減されると共に屋根裏部分の湿潤を防ぐことができる換気構造体を提供する。【解決手段】換気構造体１は、外壁材１３と軒天材１４との見切り部分に設置され、見切り部分に沿って長手方向に延びる。換気構造体１は、外壁下地材１１と、外壁下地材１１に対し、胴縁１２を介して設けられる外壁材１３と、外壁材１３及び胴縁１２の上端より上方に設けられる軒天材１４と、外壁下地材１１、胴縁１２、外壁材１３及び軒天材１４の間の空間に設置され、外壁下地材１１及び外壁材１３の間の通気層５と外部７との通気を行う換気部材４０とを備える。換気部材は、枠部材と、枠部材に設置される通気部材とから構成される。枠部材は、第１垂直部と、天面部と、第２垂直部と、底面部とを備える。通気部材は、外方面から内方面へ貫通する複数の通気孔を有する。【選択図】  図１
2018104969.tif 000002
【特許請求の範囲】
【請求項１】
外壁材と軒天材との見切り部分に設置され、前記見切り部分に沿って長手方向に延びる換気構造体であって、外壁下地材と、前記外壁下地材に対し、胴縁を介して設けられる前記外壁材と、前記外壁材及び前記胴縁の上端より上方に設けられる前記軒天材と、前記外壁下地材、前記胴縁、前記外壁材及び前記軒天材の間の空間に設置され、前記外壁下地材及び前記外壁材の間の通気層と外部との通気を行う換気部材とを備え、
前記換気部材は、枠部材と、前記枠部材に設置される通気部材とから構成され、
前記枠部材は、
前記長手方向に連続的に延びると共に、前記外壁下地材に沿って垂直方向に延びる第１垂直部と、
前記第１垂直部の上端側に接続され、前記外壁材の外方面のラインまで外方に向かって延びる天面部と、
前記天面部の外方側に接続され、垂直下方に延びると共に前記長手方向に所定間隔で複数の開口が形成された第２垂直部と、
前記第２垂直部の下端側に接続され、前記第１垂直部の方向に所定距離を残して延びる底面部とを備え、
前記通気部材は、前記天面部の内面と前記底面部の内面との間に覆われるように取り付けられ、少なくとも前記開口に面し、外方面から内方面へ貫通する複数の通気孔を有する、換気構造体。
【請求項２】
前記軒天材は、水平方向に延びるように設置される、請求項１記載の換気構造体。
【請求項３】
前記軒天材は、下方に傾斜して設置される、請求項１記載の換気構造体。
【請求項４】
前記天面部は、前記軒天材に沿って傾斜して延びる、請求項３記載の換気構造体。
【請求項５】
前記枠部材は、更に、
前記天面部と前記第２垂直部との接続部分から、外方に延びる延長部と、
前記延長部の外方側に接続され、前記開口の少なくとも一部を覆うように垂直下方に延びる第３垂直部とを備える、請求項１から請求項４のいずれかに記載の換気構造体。
【請求項６】
外壁と軒天との見切り部分の換気構造に設置され、前記見切り部分に沿って長手方向に延びる換気部材であって、枠部材と、前記枠部材に設置される通気部材とから構成され、
前記枠部材は、
前記長手方向に連続的に延びると共に、前記換気構造への設置時の垂直方向に相当する第１の方向に延びる第１垂直部と、
前記第１垂直部の上端側に接続され、前記換気構造への設置時における前記外壁の外方面のラインまで達するような寸法で第２の方向に延びる天面部と、
前記天面部の前記第２の方向側に接続され、垂直下方に延びると共に前記長手方向に所定間隔で複数の開口が形成された第２垂直部と、
前記第２垂直部の下端側に接続され、前記第１垂直部の方向に所定距離を残して延びる底面部と、前記天面部と前記第２垂直部との接続部分から、前記第２の方向に延びる延長部と、前記延長部の外方側に接続され、前記開口の少なくとも一部を覆うように垂直下方に延びる第３垂直部とを備え、
前記通気部材は、前記開口側の外方面と、前記第１垂直部側の内方面とを有し、前記天面部の内面と前記底面部の内面との間に覆われるように取り付けられ、少なくとも前記開口に面し、前記外方面から前記内方面へ貫通する複数の通気孔を有する、換気部材。
【発明の詳細な説明】
【技術分野】
【０００１】
この発明は換気構造体に関し、特に、軒天と壁面との見切り部に備えられる換気構造体に関するものである。
【背景技術】
【０００２】
従来、建物の各部分において換気を行うための様々な技術が提案されている。例えば、特許文献１では、鋼板のプレス加工によって形成された軒天部材と、軒天部材内に取り付けられた合成樹脂よりなる換気部材とから構成された断面Ｌ字状の軒天換気構造体が開示されている。この軒天換気構造体は、具体的には、破風の下端部と妻壁材の上端部との間にスペースを設け、このスペースを覆うような状態で、破風及び妻壁材の各々にビス等を介して取り付けることが開示されている。
【０００３】
又、特許文献２では、外壁下地材及び外壁材の間に外壁通気層を設け、建物の土台部分から外壁通気層に空気を取り込み、取り込んだ空気を外壁通気層を経由して建物上部まで移動させる通気構造が開示されている。
【先行技術文献】
【特許文献】
【０００４】
【特許文献１】特開２０１４−３１６４０号公報
【特許文献２】特開２０１６−７００４４号公報
【発明の概要】
【発明が解決しようとする課題】
【０００５】
しかしながら、実際の施工現場では、特許文献１の「背景技術」に記載されているような、換気部材が設けられていない軒天換気構造体が用いられる場合もあり、この場合、下方からの吹きさらしの風雨を受けるような環境下において、軒裏に設けられた換気部材から建物内部に雨水が侵入するおそれがあった。特に、海岸線沿いの切り立った段丘地帯の上に建設された建物ではこのような環境にさらされる傾向がある。又、このような換気部材が壁面寄りに設けられている場合には、壁面にぶつかり上昇した風雨に強くさらされ、一層、雨水侵入のおそれがあった。
【０００６】
一方で、上述の通り、特許文献２では、土台部分から湿り気を帯びた空気が外壁通気層を伝って建物上部まで移動する。もし、このような湿り気を帯びた空気を屋根裏に通気してしまうと、屋根裏部分に湿気が籠ってしまうという課題がある。従って、このような、湿り気を帯びた空気が屋根裏部分に到達する前に外部に対して放出されるような換気構造が望まれていた。
【０００７】
この発明は、上記のような課題を解決するためになされたもので、下方からの吹きさらしによる雨水の侵入が低減されると共に屋根裏部分の湿潤を防ぐことができる換気構造体を提供することを目的とする。
【課題を解決するための手段】
【０００８】
上記の目的を達成するために、請求項１記載の発明は、外壁材と軒天材との見切り部分に設置され、見切り部分に沿って長手方向に延びる換気構造体であって、外壁下地材と、外壁下地材に対し、胴縁を介して設けられる外壁材と、外壁材及び胴縁の上端より上方に設けられる軒天材と、外壁下地材、胴縁、外壁材及び軒天材の間の空間に設置され、外壁下地材及び外壁材の間の通気層と外部との通気を行う換気部材とを備え、換気部材は、枠部材と、枠部材に設置される通気部材とから構成され、枠部材は、長手方向に連続的に延びると共に、外壁下地材に沿って垂直方向に延びる第１垂直部と、第１垂直部の上端側に接続され、外壁材の外方面のラインまで外方に向かって延びる天面部と、天面部の外方側に接続され、垂直下方に延びると共に長手方向に所定間隔で複数の開口が形成された第２垂直部と、第２垂直部の下端側に接続され、第１垂直部の方向に所定距離を残して延びる底面部とを備え、通気部材は、天面部の内面と底面部の内面との間に覆われるように取り付けられ、少なくとも開口に面し、外方面から内方面へ貫通する複数の通気孔を有するものである。
【０００９】
このように構成すると、開口部分が外壁材と面一となる軒天見切り部分の換気構造が得られる。
【００１０】
請求項２記載の発明は、請求項１記載の発明の構成において、軒天材は、水平方向に延びるように設置されるものである。
【００１１】
このように構成すると、水平な軒天構造において、開口部分が外壁材と面一となる軒天見切り部分の換気構造が得られる。
【００１２】
請求項３記載の発明は、請求項１記載の発明の構成において、軒天材は、下方に傾斜して設置されるものである。
【００１３】
このように構成すると、傾斜して設けられる軒天構造において、開口部分が外壁材と面一となる軒天見切り部分の換気構造が得られる。
【００１４】
請求項４記載の発明は、請求項３記載の発明の構成において、天面部は、軒天材に沿って傾斜して延びるものである。
【００１５】
このように構成すると、傾斜して設けられる軒天にフィットした形状となる。
【００１６】
請求項５記載の発明は、請求項１から請求項４のいずれかに記載の発明の構成において、枠部材は、更に、天面部と第２垂直部との接続部分から、外方に延びる延長部と、延長部の外方側に接続され、開口の少なくとも一部を覆うように垂直下方に延びる第３垂直部とを備えるものである。
【００１７】
このように構成すると、開口に対し、軒天に沿って侵入してくる雨水を防ぐことができる。
【００１８】
請求項６記載の発明は、外壁と軒天との見切り部分の換気構造に設置され、見切り部分に沿って長手方向に延びる換気部材であって、枠部材と、枠部材に設置される通気部材とから構成され、枠部材は、長手方向に連続的に延びると共に、換気構造への設置時の垂直方向に相当する第１の方向に延びる第１垂直部と、第１垂直部の上端側に接続され、換気構造への設置時における外壁の外方面のラインまで達するような寸法で第２の方向に延びる天面部と、天面部の第２の方向側に接続され、垂直下方に延びると共に長手方向に所定間隔で複数の開口が形成された第２垂直部と、第２垂直部の下端側に接続され、第１垂直部の方向に所定距離を残して延びる底面部と、天面部と第２垂直部との接続部分から、第２の方向に延びる延長部と、延長部の外方側に接続され、開口の少なくとも一部を覆うように垂直下方に延びる第３垂直部とを備え、通気部材は、開口側の外方面と、第１垂直部側の内方面とを有し、天面部の内面と底面部の内面との間に覆われるように取り付けられ、少なくとも開口に面し、外方面から内方面へ貫通する複数の通気孔を有するものである。
【００１９】
このように構成すると、外壁と軒天との見切り部分の換気構造に設置されたとき、開口部分が外壁材と面一となり、又、開口に対し、軒天に沿って侵入してくる雨水を防ぐことができる。
【発明の効果】
【００２０】
以上説明したように、請求項１記載の発明は、開口部分が外壁材と面一となる軒天見切り部分の換気構造が得られるので、下方からの吹きさらしによる雨水の侵入が低減されると共に屋根裏部分の湿潤を防ぐことができる。
【００２１】
請求項２記載の発明は、請求項１記載の発明の効果に加えて、水平な軒天構造において、開口部分が外壁材と面一となる軒天見切り部分の換気構造が得られるので、水平な軒天構造において、下方からの吹きさらしによる雨水の侵入を防ぎつつ換気を行う換気構造が得られる。
【００２２】
請求項３記載の発明は、請求項１記載の発明の効果に加えて、傾斜して設けられる軒天構造において、開口部分が外壁材と面一となる軒天見切り部分の換気構造が得られるので、傾斜して設けられる軒天構造において、下方からの吹きさらしによる雨水の侵入を防ぎつつ換気を行う換気構造が得られる。
【００２３】
請求項４記載の発明は、請求項３記載の発明の効果に加えて、傾斜して設けられる軒天にフィットした形状となるので、軒天材と外壁下地材との間の隙間を少なくできる。
【００２４】
請求項５記載の発明は、請求項１から請求項４のいずれかに記載の発明の効果に加えて、開口に対し、軒天に沿って侵入してくる雨水を防ぐことができるので、雨水の侵入防止効果の向上を図ることができる。
【００２５】
請求項６記載の発明は、外壁と軒天との見切り部分の換気構造に設置されたとき、開口部分が外壁材と面一となり、又、開口に対し、軒天に沿って侵入してくる雨水を防ぐことができるので、外壁と軒天との見切り部分の換気構造に設置されたとき、下方からの吹きさらしによる雨水の侵入が低減され、雨水の侵入防止効果の向上を図ることができる換気部材となる。
【図面の簡単な説明】
【００２６】
【図１】この発明の第１の実施の形態による換気構造体の納まり図である。
【図２】図１で示した換気構造体が備える換気部材の外観形状を示す正面図であって、図１における矢印Ａに対応する方向から見たときの図である。
【図３】図２で示したＩＩＩ−ＩＩＩラインの拡大断面図である。
【図４】図２で示した通気部材の外観形状を示した概略斜視図である。
【図５】図１で示した換気構造体の通気構造を示す図である。
【図６】この発明の第２の実施の形態による換気構造体の納まり図であり、図１に対応するものである。
【図７】図６で示した換気構造体が備える換気部材の外観形状を示す正面図であって、図６における矢印Ａ方向に対応する方向から見たときの図である。
【図８】図７で示したＶＩＩＩ−ＶＩＩＩラインの拡大断面図である。
【図９】この発明の第３の実施の形態による換気構造体の納まり図であり、図１に対応するものである。
【図１０】この発明の第４の実施の形態による換気構造体の納まり図であり、図９に対応するものである。
【図１１】図１０で示した換気部材の拡大図であって、図３に対応するものである。
【図１２】この発明の第５の実施の形態による換気構造体の納まり図であり、図１０に対応するものである。
【発明を実施するための形態】
【００２７】
図１は、この発明の第１の実施の形態による換気構造体の納まり図であり、図２は、図１で示した換気構造体が備える換気部材の外観形状を示す正面図であって、図１における矢印Ａに対応する方向から見たときの図であり、図３は、図２で示したＩＩＩ−ＩＩＩラインの拡大断面図である。
【００２８】
これらの図を参照して、換気構造体１は、外壁材と軒天材との見切り部分に設置され、当該見切り部分に沿って長手方向に延びるものであり、外壁下地材１１と、外壁下地材１１に対し、胴縁１２を介して設けられる外壁材１３と、外壁材１３及び胴縁１２の上端より上方に水平方向に延びるように設けられる軒天材１４と、外壁下地材１１、胴縁１２、外壁材１３及び軒天材１４の間の空間に設置され、外壁下地材１１及び外壁材１３の間の通気層５と外部７との通気を行う換気部材４０とを備える。
【００２９】
換気部材４０は、鋼板のプレス加工によって形成される枠部材４１と、枠部材４１に設置される通気部材４２とから構成されている。
【００３０】
枠部材４１は、長手方向に連続的に延びると共に、外壁下地材１１に沿って垂直方向に延びる第１垂直部５１と、第１垂直部５１の上端側に接続され、外壁材１３の外方面のラインまで外方に向かって延びる天面部５２と、天面部５２の外方側に接続され、垂直下方に延びると共に長手方向に所定間隔で複数の開口６１が形成された第２垂直部５３と、第２垂直部５３の下端側に接続され、第１垂直部５１の方向に所定距離を残して延びる底面部５４とを備える。
【００３１】
尚、第１垂直部５１と天面部５２との接続は、天面部５２が水平面よりも２〜３°下方に傾斜するように設定されている。又、第２垂直部５３と底面部５４との接続は、底面部５４が水平面よりも２〜３°上方に傾斜するように設定されている。このように、天面部５２と底面部５４は略平行に配置されている。又、底面部５４の内方側には、やや第１垂直部５２側に向けて上方に延びる水切り５５が形成されている。
【００３２】
通気部材４２は、短手方向の断面が矩形形状を有すると共に長手方向に伸びる棒状に形成されている。通気部材４２は、接着剤又は両面テープ等によって、天面部５２の内面と底面部５４の内面との間に覆われるように取り付けられており、開口６１に面し、外方面から内方面へ貫通する複数の通気孔６２を有している。又、通気部材４２の外方面と第２垂直部５３の内面との間には、空間が設けられている。
【００３３】
又、図３で示すように、通気部材４２は、長手方向において枠部材４１の一方端から突き出ると共に枠部材４１の他方端から凹むように、枠部材４１に取り付けられている。
【００３４】
ここで、通気部材４２の詳細な構造及び効果について説明する。
【００３５】
図４は、図２で示した通気部材の外観形状を示した概略斜視図である。
【００３６】
同図を参照して、上記した通り通気部材は短手方向の断面が矩形形状を有し、長手方向に対しては、枠部材４１の長手方向の長さと略同一長さを有する棒形状を有している。
【００３７】
具体的には、通気部材４２は、各々が凹凸断面形状を有する合成樹脂シートを複数積層した状態で熱融着によって相互に接続して一体化されている。そして、一方側面（外方面）から他方側面（内方面）へ貫通する通気孔６２が多数形成されている。通気孔６２は、枠部材４１の天面部５２及び底面部５４の延びる方向と略平行な方向に延びる構成である。
【００３８】
通気部材４２の矩形断面形状の短手方向の長さＤは、２０ｍｍに設定されており、高さに相当する長さＨは、１９ｍｍに設定されている。又、通気孔６２は、略１ｍｍ×４ｍｍの長方形形状の開口寸法に設定されている。尚、このような通気部材４２は、特許文献：特許第２６１０３４２号において開示されている棟カバー材と基本的に同一構造である。これによって一定条件下にあっては、通気部材４２は通気孔６２を介しての通気を可能とすると共に、通気孔６２を介して雨水や虫等の侵入を阻止する通気性能及び防水性能を発揮するものとなる。そして、このような通気部材４２を使用することによって、換気部材の軽量化及びコスト低減に寄与することになる。
【００３９】
又、上述した通り、通気部材４２は、長手方向において枠部材４１の一方端から突き出ると共に枠部材４１の他方端から凹むように枠部材４１に取り付けられている。従って、長手方向に対して複数の換気部材４０を連続して設置する場合には、換気部材４０における通気部材４２の突き出た部分を、図２の二点鎖線で示す隣接する換気部材４０の枠部材４１の内部に差し込んで設置すれば良い。これによって、隣接する換気部材４０の連結が容易となるため、複数の連続した換気部材４０の取り付け作業が効率化する。尚、長手方向に連結する複数の換気部材４０の両端部の各々においては、通気部材４２が枠部材４１の一方端を突き出た位置から他方端まで取り付けられた長めのものと、通気部材４２が枠部材４１の一方端から他方端の凹む位置まで取り付けられた短めのものとを使用すれば良い。
【００４０】
このように、図２等に示した換気部材４０は、枠部材４１と、通気性能及び防水性能を発揮する通気部材４２とを一体的に組み合わせたものと言える。
【００４１】
次に、見切り部に対して換気部材を取り付けて換気構造体を形成する取付工程について説明する。
【００４２】
再び図１〜図３を参照して、まず、外壁下地材１１の外面に透湿防水シート２１を敷設した後、外壁下地材１１の外面に長手方向に所定間隔で複数の胴縁１２を配置し、当該複数の胴縁１２の各々の上端部を除いた部分を外壁下地材１１に取り付ける。続いて、胴縁１２の上端部と、外壁下地材１１との間に、換気部材４０が備える枠部材４１の第１垂直部５１を差し込むようにして設置する。
【００４３】
このように取り付けることで、換気部材４０の外壁下地材１１等に対する位置決めが容易となるため、取り付け作業の効率化が図れる。
【００４４】
次に、胴縁１２の上端部を外壁下地材１１に取り付けると共に、胴縁１２間において換気部材４０の第１垂直部５１を外壁下地材１１に釘で固定する。
【００４５】
その後、鋼板よりなり、長手方向に伸びる片ハットジョイナー２２を、そのハット状凸部の上面と枠部材４１の底面部５４が当接するように、胴縁１２の各々に釘で固定する。そして、外壁材１３を、その上端と片ハットジョイナー２２のハット状凸部の下面とが当接するように、図示しない取付用金具を介して胴縁１２に取り付ける。
【００４６】
枠部材４１の底面部５４の下面と、片ハットジョイナー２２のハット状凸部の外方面と、外壁材１３の上端との間をコーキング材２３で充填する。このように、片ハットジョイナー２２を用いることによって、コーキング材２３の施工を容易としている。
【００４７】
その後、外壁下地材１１に対して野縁２４を取り付け、このように取り付けた野縁２４に、軒天材１４を取り付ける。
【００４８】
図５は、図１で示した換気構造体の通気構造を示す図である。
【００４９】
以上に示した換気構造体１によれば、外壁下地材１１と、外壁材１３との間に通気層５が形成される。通気層５の一方は、図示しない建物の他の部分（土台部分等）の通気路に連通している。又、通気層５の他方は、換気部材４０を介して外部７と連通している。
【００５０】
以下、図３も更に参照して、通気状態にあっては、図５の矢印Ｂに示されているように、建物の他の部分からの空気は、通気層５を介して、枠部材４１の第１垂直部５１と底面部５４との間へ移動し、通気部材４２の通気孔６２を介して外方側に通過する。そして、通気部材４２を通過した空気は、第２垂直部５３の開口６１の各々を介して、外部７へと移動する。尚、外部の空気が建物内に侵入する状況の場合には、図の矢印と反対の流れになる。
【００５１】
このように、換気構造体１によれば、建物の他の部分から移動してくる空気を屋根裏部分で換気しなくても済むため、屋根裏部分の湿潤を防ぐことができる。
【００５２】
又、水平な軒天構造において、換気部材４０においては開口６１が外壁材１３と面一となる。このように開口６１が外壁材１３と面一となる軒天見切り部分の換気構造が得られるので、図５において矢印Ｃにて示すような下方からの吹きさらしによる雨水の侵入が低減される。
【００５３】
又、上述した通り、通気部材４２の外方面と、枠部材４１の第２垂直部５３の内面との間には空間が形成されている。又、水切り５５に対し、通気部材４２の内方面はやや傾斜しているため、水切り５５付近にも若干の空間が形成されている。従って、通気部材４２の外方面の全面が露出される一方で、通気部材４２の内方面もほとんど露出している状態となるため、大半の通気孔の通気機能を有効に発揮させることができる。
【００５４】
仮に、雨水が、換気部材４０が備える枠部材４１の第２垂直部５３の開口６１の各々を介して、枠部材４１内に浸入しようとしたとしても、枠部材４１内に浸入した雨水は、上述した通り一定要件下にあっては通気部材４２の通気孔を介しては内方側に移動することが出来ないように構成されている。
【００５５】
そして、上述した通り、枠部材４１の天面部５２及び底面部５４は互いに平行に配置され、各々は外方に向かって２〜３°傾斜すると共に、底面部５４の第２垂直部５３側の接続部には図示しない水抜き孔が形成されている。従って、枠部材４１内に浸入した雨水は該傾斜に沿って水抜き孔から自然に排出される。そのため、換気部材４０の防水性能が向上する。
【００５６】
又、上述した通り、水切り５５は上方に延びるため、通気部材４２の内方面に到達した雨水が通気層５内に浸入し難くなる。そして、雨水は水切り５５と底面部５４の傾斜とを介して水抜き孔から外方に排出される。そのため、換気部材４０の防水性能がより向上する。
【００５７】
図６は、この発明の第２の実施の形態による換気構造体の納まり図であり、図１に対応するものであり、図７は、図６で示した換気構造体が備える換気部材の外観形状を示す正面図であって、図６における矢印Ａ方向に対応する方向から見たときの図であり、図８は、図７で示したＶＩＩＩ−ＶＩＩＩラインの拡大断面図である。
【００５８】
尚、説明に当たっては、基本的には第１の実施の形態によるものと同一であるため、その相違点を中心に説明する。
【００５９】
同図を参照して、この実施の形態による換気構造体１にあっては、第１の実施の形態によるものにおいて、換気部材４０が備える枠部材４１が、更に庇部材５８を備えている。
【００６０】
庇部材５８は、両面粘着テープ等により天面部５２に取り付けられ、その一部（延長部）が、天面部５２と第２垂直部５３との接続部分から、外方に向かって突出して延びる取付部５６と、取付部５６の外方側に接続され、水平方向において開口６１を完全に覆うように垂直下方に延びる第３垂直部５７とを備える。
【００６１】
このように構成すると、開口に対し、軒天に沿って侵入してくる雨水を防ぐことができる。よって、雨水の侵入防止効果の向上を図ることができる。
【００６２】
図９は、この発明の第３の実施の形態による換気構造体の納まり図であり、図１に対応するものである。
【００６３】
尚、説明に当たっては、基本的には第１の実施の形態によるものと同一であるため、その相違点を中心に説明する。
【００６４】
同図を参照して、この実施の形態による換気構造体１にあっては、軒天材１４が、外方に行くに従い下方に傾斜している。
【００６５】
このため、傾斜して設けられる軒天構造において、開口部分が外壁材と面一となる軒天見切り部分の換気構造が得られる。
【００６６】
よって、傾斜して設けられる軒天構造において、下方からの吹きさらしによる雨水の侵入を防ぎつつ換気を行う換気構造が得られる。
【００６７】
図１０は、この発明の第４の実施の形態による換気構造体の納まり図であり、図９に対応するものであり、図１１は、図１０で示した換気部材の拡大図であって、図３に対応するものである。
【００６８】
尚、説明に当たっては、基本的には第３の実施の形態によるものと同一であるため、その相違点を中心に説明する。
【００６９】
これらの図を参照して、この実施の形態による換気構造体１にあっては、換気部材４０が備える枠部材４１の天面部５２が、軒天材１４に沿って傾斜して延びる構成である。
【００７０】
又、これに伴い、底面部５４の一部を、天面部５２に平行となるように傾斜を変更している。
【００７１】
更に、通気部材４２も、通気孔６２の通気方向が、天面部５２に平行となるように変更し、その底面部５４のサイズも底面部の傾斜面に合わせて変更している。このため、通気部材４２は、短手方向の断面形状が台形である。
【００７２】
このように構成すると、換気部材が、傾斜して設けられる軒天にフィットした形状となる。よって、軒天材と外壁下地材との間の隙間を少なくできる。
【００７３】
図１２は、この発明の第５の実施の形態による換気構造体の納まり図であり、図１０に対応するものである。
【００７４】
尚、説明に当たっては、基本的には第４の実施の形態によるものと同一であるため、その相違点を中心に説明する。
【００７５】
これらの図を参照して、この実施の形態による換気構造体１にあっては、換気部材４０が、更に第２の実施の形態で示したような庇部材５８を備える。
【００７６】
このように構成すると、開口に対し、傾斜した軒天に沿って侵入してくる雨水を防ぐことができる。よって、雨水の侵入防止効果の向上を図ることができる。
【００７７】
尚、上記の各実施の形態では、外壁材と軒天材との見切り部分の構造を特定しているが、外壁下地材及び外壁材とその上方に設置される軒天材との間の部分であれば、他の構造を採用することも可能である。
【００７８】
又、上記の各実施の形態では、換気部材が片ハットジョイナー等を介して換気構造体に設置されている構成であったが、これに限られない。他の方法によって、外壁材と軒天材との見切り部分の構造に取り付けられていても良い。
【００７９】
更に、上記の第１の実施の形態では、第１垂直部は外壁下地材と胴縁との間の隙間に差し込むようにして設置されることを説明したが、第１垂直部は外壁下地材の上端部の外方側に対して設置されていれば、例えば外壁下地材の外面に直接取り付ける等、他の設置態様であっても良い。
【００８０】
更に、上記の第１の実施の形態では、枠部材の天面部及び底面部の傾斜角が２〜３°であることを説明したが、水平（傾斜角０°）であっても構わない。
【００８１】
更に、上記の各実施の形態では、天面部と底面部とは平行に配置されているが、これらは平行に配置されていなくても良い。その場合、底面部の傾斜態様によって水抜き孔の位置を変更しても良く、又は、水抜き孔は無くても良い。
【００８２】
更に、上記の各実施の形態では、第２垂直部に対して特定形状の開口が形成されているが、笠木下換気構造体の通気機能を確保できる形状であれば、開口は他の形状であっても良い。
【００８３】
更に、上記の各実施の形態では、底面部の内方側に水切りが形成されているが、この水切りは無くても良い。
【００８４】
更に、上記の各実施の形態では、換気部材は接着剤又は両面テープによって天面部の内面と底面部の内面とに取り付けられているが、例えばネジによる固定等、換気部材は他の方法で取り付けられていても良い。
【００８５】
更に、上記の第１の実施の形態では、通気部材は長手方向において枠部材の一方端から突き出ると共に枠部材の他方端から凹むように枠部材に対して取り付けられていることを説明したが、通気部材はその全体が枠部材内に配置された状態で取り付けられていても良い。
【００８６】
更に、上記の実施の形態では、通気部材の寸法、形状を特定しているが、同様の通気性能及び防水性能を発揮するものであって、幅方向の断面が四角形形状を有していれば、他の寸法、形状であっても良い。この場合、特許文献：特許第２６１０３４２号の明細書に記載されている風雨試験と同一の条件で同一の効果を奏するものであることが好ましい。
【００８７】
更に、上記の第２の実施の形態では、第１垂直部、天面部、第２垂直部及び底面部からなる部材と、庇部材とは別部材であった。しかしながら、これに限られず、両者は一体に形成されていても良く、天面部と第２垂直部との接続部分から、延長部が外方に延びる構成であれば良い。
【００８８】
すなわち、換気部材は、外壁と軒天との見切り部分の換気構造に設置され、前記見切り部分に沿って長手方向に延びるものであって、枠部材と、前記枠部材に設置される通気部材とから構成され、前記枠部材は、前記長手方向に連続的に延びると共に、前記換気構造への設置時の垂直方向に相当する第１の方向に延びる第１垂直部と、前記第１垂直部の上端側に接続され、前記換気構造への設置時における前記外壁の外方面のラインまで達するような寸法で第２の方向に延びる天面部と、前記天面部の前記第２の方向側に接続され、垂直下方に延びると共に前記長手方向に所定間隔で複数の開口が形成された第２垂直部と、前記第２垂直部の下端側に接続され、前記第１垂直部の方向に所定距離を残して延びる底面部と、前記天面部と前記第２垂直部との接続部分から、前記第２の方向に延びる延長部と、前記延長部の外方側に接続され、前記開口の少なくとも一部を覆うように垂直下方に延びる第３垂直部とを備え、前記通気部材は、前記開口側の外方面と、前記第１垂直部側の内方面とを有し、前記天面部の内面と前記底面部の内面との間に覆われるように取り付けられ、少なくとも前記開口に面し、前記外方面から前記内方面へ貫通する複数の通気孔を有するものであっても良い。
【００８９】
このように構成することで、外壁と軒天との見切り部分の換気構造に設置されたとき、開口部分が外壁材と面一となり、又、開口に対し、軒天に沿って侵入してくる雨水を防ぐことができる。
【００９０】
よって、外壁と軒天との見切り部分の換気構造に設置されたとき、下方からの吹きさらしによる雨水の侵入が低減され、雨水の侵入防止効果の向上を図ることができる換気部材となる。
【符号の説明】
【００９１】
１…換気構造体
５…通気層
７…外部
４０…換気部材
１１…外壁下地材
１２…胴縁
１３…外壁材
１４…軒天材
２１…透湿防水シート
２２…片ハットジョイナー
２３…コーキング材
４１…枠部材
４２…通気部材
５１…第１垂直部
５２…天面部
５３…第２垂直部
５４…底面部
５６…取付部
５７…第３垂直部
５８…庇部材
６１…開口
６２…通気孔
尚、各図中同一符号は同一又は相当部分を示す。
【図１】
2018104969.tif 000003
【図２】
2018104969.tif 000004
【図３】
2018104969.tif 000005
【図４】
2018104969.tif 000006
【図５】
2018104969.tif 000007
【図６】
2018104969.tif 000008
【図７】
2018104969.tif 000009
【図８】
2018104969.tif 000010
【図９】
2018104969.tif 000011
【図１０】
2018104969.tif 000012
【図１１】
2018104969.tif 000013
【図１２】
2018104969.tif 000014